(57)【要約】【課題】  皮膚に温熱を与えるための機構を電気的な面でも伝熱の面でも他の機構部分と矛盾無く且つ簡略に構成でき、適切に温熱付与状態を生じさせて優れた美容効果を得られる美容装置を提供する。【解決手段】  使用者の皮膚に当接させるヘッド部１２が、本体部１１内のヒータ１３ａから伝熱体１３ｄを介して熱を伝えられる配置とされ、ヒータ１３ａを伝熱体１３ｄ側に押圧し、弾性変形する伝熱体１３ｄが押圧で端子１３ｂ及びヘッド部１２と密着して、ヒータ１３ａの熱が端子１３ｂ及び伝熱体１３ｄを介してヘッド部１２にロス無く最短距離で伝わることから、ヒータ１３ａへの通電のための電気的接続と、ヘッド部１２とヒータ１３ａとの間の熱伝導構造とを矛盾無く両立させて、ヒータ１３ａで効率よくヘッド部１２を加熱でき、皮膚に適切に温熱を与えられる。【選択図】  図９
2011041705.tif 000002
【特許請求の範囲】
【請求項１】
使用者の皮膚に対し所定の美容動作を実行する美容装置において、
使用者により保持される本体部と、
当該本体部の一端部に配設され、熱伝導性を有する材料で形成されるヘッド部と、
前記本体部内に配設され、通電により昇温するヒータ、及び当該ヒータと前記ヘッド部間に介在する伝熱体を有してヘッド部を人の体温以上に加熱する加熱部と、
当該加熱部によるヘッド部の加熱状態を調整制御する制御部とを備え、
前記加熱部のヒータが、略平行な二面を有し、当該二面で通電用の正負各端子とそれぞれ接触導通すると共に、前記二面の一方で端子を介して前記伝熱体と近接して配設され、所定の付勢手段により伝熱体側に押圧され、
前記伝熱体が、良熱伝導性を有し弾性変形可能な略シート状体で形成されることを
特徴とする美容装置。
【請求項２】
前記請求項１に記載の美容装置において、
前記本体部の使用者による把持部分に配設されるイオン導入用の補助電極部を備え、
前記ヘッド部が、導電性を有する材料で形成されて、イオン導入用の電極とされ、
前記伝熱体が、電気に対する絶縁性を有してなり、ヒータとヘッド部とを絶縁しつつヒータの熱をヘッド部へ伝え、
前記制御部が、前記ヘッド部と補助電極部間で使用者を介して通電可能とし、前記加熱部によるヘッド部の加熱を実行させつつ、皮膚表面に塗布されたイオン導入用の化粧料から皮膚へのイオン導入を生じさせることを
特徴とする美容装置。
【請求項３】
前記請求項１に記載の美容装置において、
前記本体部の使用者による把持部分に配設されるイオン導入用の補助電極部と、
前記本体部のヘッド部近傍に配設され、イオン導入用の液剤を含浸可能な多孔質被覆体をヘッド部上に着脱可能に保持する保持部とを備え、
前記ヘッド部が、導電性を有する材料で形成されて、イオン導入用の電極とされ、
前記伝熱体が、電気に対する絶縁性を有してなり、ヒータとヘッド部とを絶縁しつつヒータの熱をヘッド部へ伝え、
前記制御部が、前記ヘッド部と補助電極部間で前記多孔質被覆体及び使用者を介して通電可能とし、前記加熱部によるヘッド部の加熱を実行させつつ、多孔質被覆体に含浸させた化粧料から皮膚へのイオン導入を生じさせることを
特徴とする美容装置。
【請求項４】
前記請求項２又は３に記載の美容装置において、
前記加熱部のヒータ及び各端子の周囲を取囲んで配設され、電気絶縁性を有し且つ熱を伝えにくい材質からなる立壁部を備え、
前記ヒータ及び端子が、前記立壁部と前記伝熱体により区画された内側部分に配置され、立壁部の外側で前記本体部内部からヘッド部に接続される通電用配線材と隔離されることを
特徴とする美容装置。
【請求項５】
前記請求項３に記載の美容装置において、
前記制御部が、前記加熱部によるヘッド部の加熱を行わない状態で、前記ヘッド部と補助電極部間でふき取り用の化粧料を含浸させた前記多孔質被覆体及び使用者を介して通電させ、皮膚における帯電した汚れ成分をヘッド部側へ移動させ、前記汚れ成分を多孔質被覆体に取込むクレンジングモードを備えることを
特徴とする美容装置。
【請求項６】
前記請求項１ないし５のいずれかに記載の美容装置において、
前記制御部が、加熱部によるヘッド部の加熱に際し、加熱部の加熱温度を所定の第一の温度に維持する第一の期間と、前記第一の温度より数度高い第二の温度に維持する第二の期間とがあり、且つ当該第二の期間を前記第一の期間の後に第一の期間より長くして設定する温度制御を、ヘッド部の加熱を一時停止する期間を間に挟みつつ繰返し実行することを
特徴とする美容装置。
【請求項７】
前記請求項１ないし６のいずれかに記載の美容装置において、
前記ヒータを挟んで配設される通電用の端子のうち、前記伝熱体に近接する側とは反対側に配置される端子が、他方の端子よりヒータとの接触面を小さくした板ばね状に形成され、前記付勢手段を兼ねることを
特徴とする美容装置。
【発明の詳細な説明】
【技術分野】
【０００１】
本発明は、使用者の皮膚に対し所定の美容効果を与える美容装置、特に、温熱による美容効果を与える装置に関する。なお、本発明で美容効果を与える対象としての「皮膚」と共に用いる「肌」の語は、体表面のみでなく皮下脂肪等の皮下組織を含む体表層の「皮膚」と同義のものとして扱っている。
【背景技術】
【０００２】
使用者の顔等の肌（皮膚）に対し所定の美容・美肌に係る各種動作を実行する美容機器は、家庭で用いられる簡易な単機能、低出力のものから、業務用として用いられる多機能、高出力のものまで、様々な種類のものが利用されている。こうした美容機器のうち、家庭等で用いられる簡易なものとしては、肌を冷したり加熱したりするもの、肌に対し吸引を行うもの、肌にスチームやミストを当てるもの、肌に光を照射するもの、肌に超音波による振動を伝えるもの、肌に微弱電流を流してイオン導入（イオントフォレーシス）を行うものなどが一般的に使用されている。
【０００３】
この中で、肌にとっての各種有効成分を肌に深く浸透させるという優れた効果が得られるイオン導入法を用いた機器は近年注目を集めており、そうした従来の美容機器の一例として、特開２００５−２３７５４５号公報や特開２００５−２４５５２１号公報に開示されるものがある。
【先行技術文献】
【特許文献】
【０００４】
【特許文献１】特開２００５−２３７５４５号公報
【特許文献２】特開２００５−２４５５２１号公報
【発明の開示】
【発明が解決しようとする課題】
【０００５】
従来の美容機器は前記各特許文献に示される構成となっており、こうしたイオン導入を行う機器の中には、イオン導入と組合わせて、肌を温めたり、肌へ超音波を発したり、光を照射したりする機能を有するものも提案されていたが、こうした他の美容動作とイオン導入との関係は明らかにされておらず、単純に同時に各機能を実行するものとされており、またイオン導入の機構と他の機能を実現する機構の組合わせ構造についても実現可能な程度に具体的に示されたものはなく、構想の段階にとどまっていた。
【０００６】
特に、イオン導入と共に温熱を付与するものについては、家庭用に導入するにあたり低コストで効率のよい加熱を行うために、通電により発熱するヒータが欠かせないが、イオン導入用の電極の電気的な接続機構、及び、温熱付与のために前記電極を加熱するヒータの電気的な接続機構、並びにヒータと前記電極との伝熱構造を、短絡や誤動作等の矛盾を生じさせない実現可能な構成として具体的に示したものは未だ存在せず、簡略で低コストの加熱機構を備える美容機器を実用に供することができないという課題を有していた。
【０００７】
本発明は前記課題を解消するためになされたもので、皮膚に温熱を与えるための機構を電気的な面でも伝熱の面でも他の機構部分と矛盾無く且つ簡略に構成でき、適切に温熱付与状態を生じさせて優れた美容効果を得られる美容装置を提供することを目的とする。
【課題を解決するための手段】
【０００８】
本発明に係る美容装置は、使用者の皮膚に対し所定の美容動作を実行する美容装置において、使用者により保持される本体部と、当該本体部の一端部に配設され、熱伝導性を有する材料で形成されるヘッド部と、前記本体部内に配設され、通電により昇温するヒータ、及び当該ヒータと前記ヘッド部間に介在する伝熱体を有してヘッド部を人の体温以上に加熱する加熱部と、当該加熱部によるヘッド部の加熱状態を調整制御する制御部とを備え、前記加熱部のヒータが、略平行な二面を有し、当該二面で通電用の正負各端子とそれぞれ接触導通すると共に、前記二面の一方で端子を介して前記伝熱体と近接して配設され、所定の付勢手段により伝熱体側に押圧され、前記伝熱体が、良熱伝導性を有し弾性変形可能な略シート状体で形成されるものである。
【０００９】
このように本発明によれば、本体部の一端部に配設されて使用者の皮膚に当接させるヘッド部が、本体部内の加熱部をなすヒータから伝熱体を介して熱を伝えられる配置とされ、ヒータを伝熱体側に押圧してヒータを端子に、端子を伝熱体にそれぞれ押付け、弾性変形する伝熱体が押圧で端子及びヘッド部と隙間無く密着して、ヒータの熱が端子及び伝熱体を介してヘッド部にロス無く最短距離で伝わることにより、ヒータへの通電のための電気的接続と、ヘッド部とヒータとの間の熱伝導構造とを矛盾無く両立させて、ヒータで効率よくヘッド部を加熱でき、ヘッド部にヒータの温度制御状態を無理なくスムーズに反映させて、皮膚に適切に温熱を与えられると共に、ヘッド部の昇温状態が簡略な機構で得られることとなり、温熱を皮膚に付与する構造を低コスト化できる。
【００１０】
また、本発明に係る美容装置は必要に応じて、前記本体部の使用者による把持部分に配設されるイオン導入用の補助電極部と、前記本体部のヘッド部近傍に配設され、イオン導入用の液剤を含浸可能な多孔質被覆体をヘッド部上に着脱可能に保持する保持部とを備え、前記ヘッド部が、導電性を有する材料で形成されて、イオン導入用の電極とされ、前記伝熱体が、電気に対する絶縁性を有してなり、ヒータとヘッド部とを絶縁しつつヒータの熱をヘッド部へ伝え、前記制御部が、前記ヘッド部と補助電極部間で前記多孔質被覆体及び使用者を介して通電可能とし、前記加熱部によるヘッド部の加熱を実行させつつ、多孔質被覆体に含浸させた化粧料から皮膚へのイオン導入を生じさせるものである。
【００１１】
このように本発明によれば、ヘッド部がイオン導入用の電極とされて、イオン導入の際に電流が流れる構造とされる一方、電気絶縁性を有する伝熱体を介してヒータ及び端子とヘッド部との間で熱が伝わるようにして、ヘッド部に通電するための電気配線とヒータに係る電気配線とを伝熱体で電気的に隔離した構造としつつ、ヒータからヘッド部への熱伝導を実現することにより、イオン導入に係るヘッド部への通電とヒータによるヘッド部の加熱を、互いに悪影響を及し合うこともなく適切に実行できることとなり、仮にヘッド部の極性をイオン導入内容に応じて変えたとしても、ヘッド部の電気配線と独立したヒータへの影響は無く、ヘッド部への通電と加熱を同時に行っても問題は生じず、ヘッド部による皮膚の加温と皮膚へのイオン導入を同期させて実施でき、皮膚やイオン導入用の化粧料を温めて浸透性を高めることでイオン導入の促進も図れ、皮膚に対し極めて効率よくイオン導入を実行して美容効果を発揮させられる。
【００１２】
また、本発明に係る美容装置は必要に応じて、前記制御部が、前記加熱部によるヘッド部の加熱を行わない状態で、前記ヘッド部と補助電極部間でふき取り用の化粧料を含浸させた前記多孔質被覆体及び使用者を介して通電させ、皮膚における帯電した汚れ成分をヘッド部側へ移動させ、前記汚れ成分を多孔質被覆体に取込むクレンジングモードを備えるものである。
【００１３】
このように本発明によれば、ヘッド部を電極として用いて使用者の皮膚に電流を流し、クレンジングとして皮膚における帯電した汚れ成分を電極であるヘッド部側へ引寄せて移動させ、汚れ成分を多孔質被覆体に取込んで皮膚から除去する動作を実行することにより、イオン導入の他にヘッド部への通電でヒータの動作等に影響を与えることなく新たな機能を実現でき、通常の方法では除去しにくい皮膚の汚れを確実に除去することができ、汚れによる皮膚への悪影響を排除すると共に、汚れが無くなる分、皮膚へのイオン導入の効果も一層向上することとなる。
【００１４】
また、本発明に係る美容装置は必要に応じて、前記制御部が、加熱部によるヘッド部の加熱に際し、加熱部の加熱温度を所定の第一の温度に維持する第一の期間と、前記第一の温度より数度高い第二の温度に維持する第二の期間とがあり、且つ当該第二の期間を前記第一の期間の後に第一の期間より長くして設定する温度制御を、ヘッド部の加熱を一時停止する期間を間に挟みつつ繰返し実行するものである。
【００１５】
このように本発明によれば、加熱部によるヘッド部の加熱に際し、加熱温度を第一の温度に少しの間維持した後、第二の温度に昇温させてしばらくこれを維持する温度制御を繰返し行い、加熱期間の全体で大部分は第二の温度としつつ、中間に第一の温度とする期間を時々生じさせ、使用者の皮膚に第一の温度と第二の温度との間の温度変化を感じさせることにより、体温より高い第二の温度による温熱刺激が皮膚に与えられていても、その温度が一定であれば、人の正常な反応として刺激を当初のように感じにくくなる、すなわち慣れを生じてしまうのに対し、時々第一の温度となる変化が加わることで、慣れが生じにくく、温熱刺激に対する反応としての皮膚の浸透を促す状態への変化や、血行の増進といった事象が、温熱を付与した当初と変ることなく発生し、皮膚がヘッド部で温められている間じゅう、これに伴う美容効果を確実に与えることができる。
【００１６】
また、本発明に係る美容装置は必要に応じて、前記ヒータを挟んで配設される通電用の端子のうち、前記伝熱体に近接する側とは反対側に配置される端子が、他方の端子よりヒータとの接触面を小さくした板ばね状に形成され、前記付勢手段を兼ねるものである。
【００１７】
このように本発明によれば、ヒータに接する通電用の端子のうち、伝熱体に近接する側の端子に対し、その反対側に配置される端子のヒータとの接触面を小さく形成し、ヒータの一面から伝熱体に近接する側の端子に伝わる熱量と、ヒータの他面から端子に伝わる熱量を異ならせることにより、ヒータと端子との接触面がより大きい伝熱体のある側にヒータの熱が伝わりやすく、ヒータの熱を端子及び伝熱体を介して効率よくヘッド部に伝えることができる一方、ヒータと端子との接触面が小さい他の端子側に伝わる熱を必要最小限にすることができ、ヒータからこの端子を経て本体部内部へ向う熱の移動を抑えて、本体部内部の熱による悪影響を特に断熱材等を配置することなく防止できることとなる。また、端子が板ばねの役割を果して付勢手段を兼ねることで構造を簡略化でき、本体部内にヒータからの熱を遮断する断熱材等を配置せずに済むことと合せて、装置のより一層の低コスト化が図れる。
【図面の簡単な説明】
【００１８】
【図１】本発明の一実施形態に係る美容装置の斜視図である。
【図２】本発明の一実施形態に係る美容装置の正面図である。
【図３】本発明の一実施形態に係る美容装置の背面図である。
【図４】本発明の一実施形態に係る美容装置の右側面図である。
【図５】本発明の一実施形態に係る美容装置の平面図及び傾動腕部傾動状態平面図である。
【図６】本発明の一実施形態に係る美容装置における多孔性被覆体固定状態の斜視図である。
【図７】本発明の一実施形態に係る美容装置における傾動腕部傾動状態の斜視図である。
【図８】本発明の一実施形態に係る美容装置におけるヘッド部及び加熱部の要部分解斜視図である。
【図９】本発明の一実施形態に係る美容装置におけるヘッド部及び加熱部の断面図である。
【図１０】本発明の一実施形態に係る美容装置のブロック図である。
【図１１】本発明の一実施形態に係る美容装置におけるクレンジング動作状態の説明図である。
【図１２】本発明の一実施形態に係る美容装置におけるヘッド部加熱を併用するイオン導入動作状態の説明図である。
【図１３】本発明の一実施形態に係る美容装置におけるローラ通電及び光照射動作状態の概略説明図である。
【図１４】本発明の一実施形態に係る美容装置における加熱動作状態の説明図である。
【図１５】本発明の一実施形態に係る美容装置における加熱部のヘッド部加熱温度の時間的変化説明図である。
【図１６】本発明の美容装置による水溶性（電解質）有効成分の浸透促進効果を示すグラフである。
【図１７】本発明の美容装置による水溶性（非電解質）有効成分の浸透促進効果を示すグラフである。
【図１８】本発明の美容装置による油溶性有効成分の浸透促進効果を示すグラフである。
【発明を実施するための最良の形態】
【００１９】
以下、本発明の一実施形態に係る美容装置を図１ないし図１５に基づいて説明する。
【００２０】
前記各図において本実施形態に係る美容装置１は、使用者により保持される本体部１１と、本体部１１の先端に配設されて肌（皮膚）５０に対するイオン導入等の美容動作に用いられるヘッド部１２と、本体部１１内に配設されてヘッド部１２を温める加熱部１３と、本体部１１におけるヘッド部１２近傍の所定部位に傾動可能に配設される傾動腕部１４と、この傾動腕部１４に取付けられて所定波長の光を照射する照射部１５と、照射部１５を挟む配置として傾動腕部１４の先端部に回動可能に配設される一対のローラ電極１６、１７と、各電極への通電や照射部１５における光の照射を制御する制御部１８と、ヘッド部１２に対して多孔質被覆体１２ａを保持する保持部１９とを備える構成である。
【００２１】
前記本体部１１は、前記ヘッド部１２が一端に配設される一方、他端側には使用者が使用時に手で握って保持する把持部１１ａを形成されてなり、把持部１１ａの長手方向とヘッド部１２の正面方向とが所定角度分傾いた形状として形成され、内部には前記制御部１８等の電気回路や電源としての電池（図示を省略）を配設される構成である。また、本体部１１のヘッド部１２の近傍に傾動腕部１４を取付けられる構成である。
【００２２】
また、ヘッド部１２の正面側に近い把持部１１ａ正面側には、使用者の入力操作を受けて美容動作のＯＮ、ＯＦＦや動作の種類、強弱等を切換える操作部１１ｂが配設され、また把持部１１ａ側面には導電性部材からなり制御部１８と接続された補助電極部１１ｃが配設される。
【００２３】
さらに、本体部１１におけるヘッド部１２近傍部分は、多孔質被覆体１２ａを保持する保持部１９を装着可能な形状として形成される。
【００２４】
前記保持部１９は、外力に対して復元性を有する素材で形成される環状体であり、本体部１１におけるヘッド部１２近傍部分の周囲に係合して本体部１１と一体化する構成である。この保持部１９を、多孔質被覆体１２ａが保持部１９と本体部１１との間に挟み込まれた状態で、そのまま本体部１１と係合させると、保持部１９と共に多孔質被覆体１２ａが本体部１１から容易に離脱しない状態となり、多孔質被覆体１２ａをヘッド部１２上に位置させた状態で保持できる仕組みである。この保持部１９は、本体部１１と別体として形成されているが、これに限られるものではなく、多孔質被覆体１２ａをヘッド部１２に沿って押えるなどして保持できるものであれば、本体部１１と当初から一体となった構造でもかまわない。
【００２５】
前記ヘッド部１２は、金属等の導電性及び良熱伝導性を有する材質からなり、肌５０に直接又は多孔質被覆体１２ａを介して当接し、肌５０に対しイオン導入をはじめとする美容動作を実行するものである。このヘッド部１２は本体部１１内でばね１２ｂ、ラグ端子１２ｃ及び導線１２ｄ等を介して制御部１８と電気的に接続されており、把持部１１ａにある補助電極部１１ｃとの間で使用者の体を介して通電可能とされる構成である。また、ヘッド部１２には本体部１１の内側から加熱部１３が当接しており、この加熱部１３により必要に応じ温められて体温以上の所定温度まで昇温する構成である。ただし、ヘッド部１２と加熱部１３との間での電気的な接続はなく、前記ばね１２ｂをはじめとするヘッド部１２への通電用配線と加熱部１３への配線は独立したものとなっている。
【００２６】
通電については、制御部１８によりヘッド部１２と補助電極部１１ｃ間に電圧が加えられて通電が起こり得る状態とされた上で、電解質成分を含む化粧水、乳液、ゲル剤、クリーム剤等の化粧料が含浸した多孔質被覆体１２ａを介して、又は直接、ヘッド部１２が顔等の肌５０に接触し、また補助電極部１１ｃが把持部１１ａを持つ掌や手の指等と接触すると、ヘッド部１２と補助電極部１１ｃとが使用者の体を介して通電状態となる仕組みである。この場合、人体が導体をなすこととなる。
【００２７】
このヘッド部１２と補助電極部１１ｃは十分離れており、補助電極部１１ｃに触れた手等がヘッド部１２に誤って接して、通電が生じるようなことはない。
【００２８】
このヘッド部１２の接する肌５０への通電に伴って、あらかじめ肌表面に塗布したか、多孔質被覆体１２ａに染込ませたかした化粧水、乳液、ゲル剤、クリーム剤等の化粧料中に含まれるイオン性の有効成分を、制御部１８からの電流に基づくイオン移動によって肌内部に導入するイオン導入（イオントフォレーシス）を実行できる仕組みである。このイオン導入の手法自体は公知のものであり、詳細な説明を省略する。
【００２９】
また、クレンジングとして、帯電した老廃物等の汚れ成分を通電により肌側からヘッド部１２側に移行させ、多孔質被覆体１２ａに取込む状態を得ることもできる。
【００３０】
このヘッド部１２の大きさは適度な大きさに形成されており、ヘッド部１２を当接させる肌５０のうち、鼻と頬の境界部分など凹部となっている箇所にヘッド部１２を接触させようとする場合でも、適切な大きさの接触面をもって確実に当接させることができ、偏りなくイオン導入やクレンジング等を行うことができる。
【００３１】
このヘッド部１２は、イオン導入等を行う関係上、チタン等の通電に対し安定した材質を用いるのが望ましい。すなわち、仮にヘッド部１２をクロム等のメッキ表面とした場合、イオン導入の際、電気分解によりヘッド部１２の表面に金属イオンが溶出し、この溶出金属イオンが皮膚に対して悪影響を与えるという問題を生じるが、安定性の高いチタンを電極表面に用いれば、通電を経てもヘッド部１２での電気分解によりチタンの金属イオンが溶出することはなく、安全に使用できる。この電極表面材料は、純チタンが望ましいものの、チタン化合物であってもよい。また、チタン以外に金を用いることもできる。
【００３２】
なお、イオン導入で、ヘッド部１２を化粧水等の化粧料を染みこませた状態の多孔質被覆体１２ａで覆った状態とする際には、傾動腕部１４を傾動させて照射部１５及びローラ電極１６、１７をヘッド部１２正面からずらし、開放状態とされたヘッド部１２に多孔質被覆体１２ａを被せ、保持部１９を嵌合させて多孔質被覆体１２ａを固定状態とする。
【００３３】
多孔質被覆体１２ａは、カット綿やコットンパフ等と同様の脱脂等加工した綿繊維を不織シート状に成形してヘッド部１２を覆うカバーとして用いるものであり、化粧水、乳液、ゲル剤、クリーム剤等の化粧料を十分吸収してそのまま保持できる性質を備える。なお、この多孔質被覆体１２ａは、化粧料を含浸可能で可撓性を有する多孔質の軟質シート状のものであれば、コットン以外のものも利用できる。
【００３４】
前記加熱部１３は、前記ヘッド部１２を所定温度に加熱してヘッド部１２から肌５０やシートに染込ませた化粧料に温熱を与えられるようにするものであり、詳細には、ヘッド部１２の後方に配設され、通電により発熱するヒータ１３ａと、ヒータ１３ａのヘッド部１２寄り表面に当接させて配設される大端子部１３ｂと、ヒータ１３ａのヘッド部１２と離れた表面側に当接させて配設される小端子部１３ｃと、ヒータ１３ａ及び大端子部１３ｂとヘッド部１２との間に介在させて配設され、ヒータ１３ａ及び大端子部１３ｂとヘッド部１２間の絶縁を維持しつつヒータ１３ａ側からヘッド部１２側への熱伝導を可能とする伝熱体１３ｄと、ヒータ１３ａ近傍に配設されてヒータの温度を検知する感温体１３ｅと、ヒータ１３ａ及び各端子部を支えるホルダ部１３ｆとを備える構成である。
【００３５】
前記ヒータ１３ａは、いわゆるＰＴＣ（Positive Temperature Coefficient）ヒータであり、正の温度係数を持ち、温度が上昇すると、ある温度（キュリー温度）で抵抗値が急激に増加する抵抗変化特性を有するように調製されたセラミック又は有機体からなる薄い円板形状として形成され、各円形面に前記大端子部１３ｂと小端子部１３ｃをそれぞれ当接させて通電され、制御部１８であらかじめ設定された温度まで昇温するものである。ヒータ自体が自己温度制御機能を持っており、信頼性が高く長寿命であり、また設定温度までヒータ容量が一定しているので、設定温度まで早く到達できる。
【００３６】
このヒータ１３ａは、時間経過に伴って温度変化を生じるよう制御部１８で制御されており、例えば通電開始から３０秒程度で体温より高い所定温度、例えば４４℃まで温度上昇し、その後しばらくこの４４℃を維持し、通電から２分経過頃にさらに数度、例えば４８℃に達するよう温度上昇し、さらに１分間この４８℃を維持するよう制御される。そして、ヒータ１３ａによるヘッド部１２の加熱が必要な間は、前記温度変化を生じさせる制御が繰返し実行される。
【００３７】
前記大端子部１３ｂは、金属薄板で形成され、ヒータ１３ａにおけるヘッド部１２寄りの円形面のほぼ全体と接触し、通電可能とすると共に、伝熱体１３ｄとも接触して、ヒータ１３ａで発生した熱をヘッド部１２側に伝えるものである。
【００３８】
前記小端子部１３ｃは、金属薄板で一部を板ばね状として形成され、ヒータ１３ａにおけるヘッド部１２と離れた円形面の一部と接触し、通電可能とすると共に、ばねによる弾性力でヒータ１３ａを大端子部１３ｂ側（ヘッド部１２側）へ向けて押圧する構成である。詳細には、中心の略円形部分と、その外周部に等間隔で放射状となる三方向へ延出配置される板ばね部分とを備える構成である。
【００３９】
この小端子部１３ｃにおける三つの板ばね部分は、ヒータ１３ａに接触することなく浮いた状態で延出してホルダ１３ｆにその端部のみが接することで、小端子部１３ｃ全体が支持される構造となっており、小端子部１３ｃからホルダ１３ｆ側へ熱をできるだけ伝えないようにしている。
【００４０】
一方、小端子部１３ｃにおけるヒータ１３ａとの接触面となる中心の略円形部分は、大端子部１３ｂより小さいため、ヒータ１３ａで発生した温熱は大端子部１３ｂ側に伝わりやすくなっており、温熱は主に大端子部１３ｂを伝わって伝熱体１３ｄを介しヘッド部１２に達する仕組みである。
【００４１】
また、この接触面積の差異によりヒータ１３ａから小端子部１３ｃに伝わる熱は小さく、また、板ばね部分を有する小端子部１３ｃがヒータ１３ａとホルダ１３ｆ間に空間を生じさせていることで、本体部１１内部側に伝わる熱量を小さく抑えることができる。
【００４２】
前記伝熱体１３ｄは、弾性変形可能な電気絶縁性材で且つ熱伝導性に優れる素材で形成される円板状部材であり、大端子部１３ｂとヘッド部１２との間に介在してそれぞれと密着し、大端子部１３ｂ側からの熱を確実にヘッド部１２側へ伝達するものである。小端子部１３ｃがそのばね性でヒータ１３ａを大端子部１３ｂ側へ押付けることで、ヒータ１３ａが大端子部１３ｂに密着すると共に、このヒータ１３ａに押される大端子部１３ｂが伝熱体１３ｄ側に移動し、大端子部１３ｂが伝熱体１３ｄを押圧して一部弾性変形させることで、大端子部１３ｂは伝熱体１３ｄに密着することができ、また大端子部１３ｂに押される伝熱体１３ｄもヘッド部１２に密着できることから、ヒータ１３ａ表面からの熱が偏り無くヘッド部１２側に伝わる仕組みである。
【００４３】
一方、大端子部１３ｂより広い伝熱体１３ｄが絶縁性を有して大端子部１３ｂをヘッド部１２から隔離していることで、大端子部１３ｂとヘッド部１２との間での電気的な導通は起こり得ず、加熱用の回路とヘッド部１２への通電用回路との間で短絡その他の悪影響の発生を防止できる。
【００４４】
さらに、加熱部１３のヒータ１３ａ、大端子部１３ｂ、及び小端子部１３ｃの周囲には、これらを取囲んだ状態で配設される立壁部１１ｇが存在しており、電気絶縁性を有し且つ熱を伝えにくい材質からなるこの立壁部１１ｇと、前記伝熱体１３ｄにより区画された内側部分にヒータ１３ａ、大端子部１３ｂ、及び小端子部１３ｃが配置されることで、立壁部１１ｇの外側でヘッド部１２に接続されるばね１２ｂやラグ端子１２ｃ等の通電用配線と加熱部１３が電気的に隔離されることに加え、前記区画の外側となる本体部１１側へ熱が逃げるのを抑制できる。そして、小端子部１３ｃがこの区画の内側部分上部にヒータ１３ａを位置させていることで空間も生じており、ヒータ１３ａから本体部１１内部側への熱の逃げをさらに抑制できる仕組みである。
【００４５】
前記傾動腕部１４は、本体部１１におけるヘッド部１２のある先端部に傾動可能に取付けられる略腕状部材であり、傾動の中心から離れた端部に前記照射部１５及びローラ電極１６、１７を取付けられる構成である。この傾動腕部１４については、照射部１５として光の照射範囲の広い光源を用いる場合、ローラ電極１６、１７に挟まれた開口部分以外からの光の予期せぬ漏れを防ぐために、照射部１５の側方を覆う形状とするのが好ましい。
【００４６】
ローラ電極１６、１７による通電及び光照射を行う際は、この傾動腕部１４を傾動させて照射部１５及びローラ電極１６、１７をヘッド部１２正面に位置させ、ローラ電極１６、１７を肌５０に当接可能な状態とする。一方、イオン導入など、ローラ電極１６、１７による通電及び光照射を行わない場合には、傾動腕部１４を傾動させて照射部１５及びローラ電極１６、１７をヘッド部１２正面からずらし、ヘッド部１２を開放状態として肌５０に当接可能な状態とすることとなる。
【００４７】
前記照射部１５は、肌５０に所定の施療効果を生じさせる赤外光、可視光等の光を発する高輝度型の発光ダイオード（ＬＥＤ）を複数配置した公知の光源であり、詳細な説明を省略する。この照射部１５は、傾動腕部１４内に設けられた導線を介して本体部１１内側の制御部１８と電気的に接続されている。
【００４８】
前記ローラ電極１６、１７は、傾動腕部１４の傾動中心部分から離れた先端側に肌５０と接触可能に、且つ照射部１５を挟んで対向する配置で一対配設される導体であり、対をなす電極と肌５０が接触している状態で、制御部１８により対をなす電極間を通電状態とされる構成である。このローラ電極１６、１７は、金属等の導電体で形成するほか、ゴム等の弾性体表面に金属等の導体を貼付けたり導体の薄膜を配置して形成した構造とすることもできる。このローラ電極１６、１７も、照射部１５同様、傾動腕部１４内に設けられた導線を介して本体部１１内側の制御部１８と電気的に接続される。
【００４９】
前記制御部１８は、本体部１１に内蔵され、使用者の操作部１１ｂへの入力操作を受けて、ヘッド部１２と補助電極部１１ｃ間の通電や、加熱部１３によるヘッド部１２の加熱、対をなすローラ電極１６、１７間の通電、及び照射部１５の光照射を、それぞれ制御するものである。
【００５０】
制御部１８は美容用途ごとに動作モードを設定しており、本実施形態においては、皮膚に蓄積している有害成分や老廃物を除去するクレンジングモード、皮膚の深部に化粧料の有効成分を浸透させるイオン導入モード、皮膚を活性化して乳液やクリームの定着、浸透を図るローラ通電及び光照射モード、及び、皮膚に温熱刺激を与えてマッサージ効果の増進を図る加熱モード、の四つがある。
【００５１】
クレンジングモードとローラ通電及び光照射モードでは、加熱部１３によるヘッド部１２の加熱は実施しない。クレンジングモードとイオン導入モードでは、ヘッド部１２と補助電極部１１ｃ間を通電状態とする。ローラ通電及び光照射モードでは、対をなすローラ電極１６、１７間を通電状態とする。またローラ通電及び光照射モードのみ、照射部１５による光照射を実行する。加熱モードでは加熱部１３によるヘッド部１２の加熱のみ実施し、各電極間の通電は行わない。
【００５２】
この動作モードの切替えは、操作部１１ｂのモード切替スイッチ１１ｄや加熱スイッチ１１ｅに対する使用者の入力操作に基づいて行われる。電源投入直後、使用者が最初にモード切替スイッチ１１ｄを操作すると、制御部１８はクレンジングモード、イオン導入モード、ローラ通電及び光照射モードのいずれかを実行可能な状態となり、また最初に加熱スイッチ１１ｅを操作すると、加熱モードを実行する状態となる。モード切替スイッチ１１ｄを操作して動作モードを選択した後に、加熱スイッチ１１ｅを操作すると、イオン導入モードが選択されていた場合には、ヘッド部１２が加熱されてイオン導入と並行して温熱も付加できる状態となるが、クレンジングモードとローラ通電及び光照射モードが選択されていた場合は、これらの動作とヘッド部１２加熱の同時実施はなく、加熱スイッチ１１ｅの操作は無効とされる。一方、加熱スイッチ１１ｅの操作でヘッド部１２の加熱を実行中に、再度加熱スイッチ１１ｅを操作すると、ヘッド部１２の加熱は停止される。
【００５３】
また、制御部１８は、加熱部１３については、感温体１３ｅによる検出温度に基づいてヒータ１３ａの発熱状態を制御し、ヘッド部１２の温度を調整している。ヘッド部１２の加熱に際しては、ヘッド部１２からの温熱刺激に使用者が慣れることを防止するために、ヘッド部１２に温度変化を生じさせるように加熱部１３における加熱状態を制御する。すなわち、所定のタイミングで温度を変化させることで使用者の慣れを生じさせず、使用者は温熱を常に当初と変らない刺激として受取ることとなり、温熱の効果が損われることはない
具体的には、制御部１８は、加熱の開始後短時間、例えば約３０秒間でヘッド部１２を加熱する加熱部１３のヒータ温度を第一の温度、例えば４４℃に昇温させ、この第一の温度を第一の期間、例えば３０秒近く維持した後、さらに数度昇温させて第二の温度、例えば４８℃とし、この第二の温度を前記第一の期間より長い第二の期間、例えば２分程度継続後、加熱状態を停止し、ヒータ１３ａ及びヘッド部１２を自然放熱状態とする、という一連の温度制御状態が、所定時間間隔で繰返し実行される。
【００５４】
次に、本実施形態に係る美容装置の各美容動作状態について説明する。前提として、美容装置１が使用者による操作部１１ｃの電源スイッチ１１ｆ操作により起動し、使用者が把持部１１ａを持ってヘッド部１２又はローラ電極１６、１７を使用したい肌部位に向けられる状態にあるものとする。使用者により動作モードが選択入力されれば、制御部１８が各動作モードの実行を開始可能な状態とする。
【００５５】
クレンジングを行う場合には、使用者はあらかじめ傾動腕部１４を傾動させて照射部１５及びローラ電極１６、１７をヘッド部１２正面からずらし、ヘッド部１２を肌に当接可能な開放状態とし、電解質成分を含んだふき取り用化粧水等の化粧料を染みこませた多孔質被覆体１２ａをヘッド部１２に被せ、さらに保持部１９を本体部１１に嵌合させて多孔質被覆体１２ａを固定する。
【００５６】
使用者が操作部１１ｂのモード切替スイッチ１１ｄを操作してクレンジングモードを選択すると、制御部１８はヘッド部１２と補助電極部１１ｃ間に短い周期でパルス状の微弱電流を流す通電状態の開始を可能とする。ただし、ヘッド部１２を肌から離している状態では、ヘッド部１２と補助電極部１１ｃ間が体を介して閉じた回路となっていないため、通電はない。なお、このクレンジングモードでは、加熱部１３によるヘッド部１２の加熱は行われない。
【００５７】
ヘッド部１２を多孔質被覆体１２ａを介し肌５０に密着させると、体及び多孔質被覆体１２ａ中の化粧料を介した通電状態となり、皮膚表面や内部の帯電した微細な汚れ成分（落ちきれなかった化粧品の成分、タバコの煙の成分、老化角質等）がヘッド部１２に引寄せられて肌側から多孔質被覆体１２ａ側に移行し、多孔質被覆体１２ａに汚れ成分が取込まれる状態となることで、肌の汚れを吸引除去できる。
【００５８】
多孔質被覆体１２ａを肌５０に当接させたままヘッド部１２を肌上で少しずつ移動させると、通電状態のまま汚れ除去の対象位置を変えられるが、この除去動作を中断したり除去位置を変えるために、ヘッド部１２を肌５０から離すと、直ちに通電は中断する。クレンジングを完全に終える場合は、使用者が操作部１１ｂで動作モードを他に切替えるか電源をＯＦＦ状態とすればよい。
【００５９】
このクレンジングの終了後は、嵌合させていた保持部１９を外し、多孔質被覆体１２ａを取外してヘッド部１２を清浄化する。また、使用者は洗顔等を行って肌上に浮いた状態で残った汚れを取除くこととなる。
【００６０】
イオン導入を行う場合には、使用者は前記同様あらかじめ傾動腕部１４を傾動させて照射部１５及びローラ電極１６、１７をヘッド部１２正面からずらし、ヘッド部１２を肌に当接可能な開放状態とすると共に、電解質成分を含んだ保護化粧水等の化粧料を染みこませた多孔質被覆体１２ａをヘッド部１２に被せ、さらに保持部１９を本体部１１に嵌合させて多孔質被覆体１２ａを固定する。この場合、多孔質被覆体１２ａをヘッド部１２に被せ、保持部１９を嵌合させて固定した後、多孔質被覆体１２ａに化粧料を染みこませてもよい。
【００６１】
使用者が操作部１１ｂのモード切替スイッチ１１ｄを操作してイオン導入モードを選択すると、制御部１８はヘッド部１２と補助電極部１１ｃ間に短い周期でパルス状の微弱電流を流す通電状態の開始を可能とする。また、使用者が必要に応じて加熱スイッチ１１ｅを操作すると、制御部１８は加熱部１３によるヘッド部１２の加熱を開始する。ただし、ヘッド部１２を肌５０から離している状態では、ヘッド部１２と補助電極部１１ｃ間が閉じた回路となっていないため、通電はない。
【００６２】
ヘッド部１２を多孔質被覆体１２ａを介し肌５０に密着させると、体及び多孔質被覆体１２ａ中の化粧料を介した通電状態となり、多孔質被覆体１２ａを流れる電流で化粧料中のイオン性の有効成分（プロビタミンＣなど）を肌側へ移行させ、電流によりイオンが浸透しやすい状態となっている肌内に、有効成分が速やかに浸透する。
【００６３】
この時、ヘッド部１２が加熱されている場合には、加熱部１３で適度な温度に昇温したヘッド部１２により、多孔質被覆体１２ａ及び肌５０が温められることで、多孔質被覆体１２ａ中の化粧料の活性が高まると共に、肌５０も有効成分が浸透しやすい状態に変化しており、イオン性有効成分の肌内への移行がさらに促進される他、化粧料中の非電解質の水溶性有効成分や油溶性の有効成分についても肌５０に浸透しやすくなっており、こうした各種有効成分が肌５０に深く浸透して確実に美容効果を与えられることとなる。
【００６４】
ヘッド部１２を多孔質被覆体１２ａと共に肌５０に当接させたまま肌上で少しずつ移動させると、通電状態のままイオン導入の対象位置を変えられるが、イオン導入を中断したり導入位置を大きく変えるために、ヘッド部１２を肌５０から離すと、直ちに通電は中断する。イオン導入を完全に終える場合は、使用者が操作部１１ｂで機能を他に切替えるか電源をＯＦＦ状態とすればよい。
【００６５】
このイオン導入のモードの終了後、嵌合させていた保持部１９を外し、多孔質被覆体１２ａをヘッド部１２上から取外す。
【００６６】
ローラ通電及び光照射を行う場合には、使用者は傾動腕部１４を傾動させてヘッド部１２の正面側にローラ電極１６、１７と照射部１５が位置し、ローラ電極１６、１７が肌５０に当接可能な状態とする。同時に、肌に乳液又はクリームを付けてなじませた状態とする。
【００６７】
使用者が操作部１１ｂのモード切替スイッチ１１ｄを操作してローラ通電及び光照射モードを選択すると、制御部１８は対をなすローラ電極１６、１７間に短い周期でパルス状の微弱電流を流す通電状態の開始を可能とし、また照射部１５における光の照射も開始される。ただし、ローラ電極１６、１７を肌５０から離している状態では、ローラ電極１６、１７間が体を介して閉じた回路となっていないため、通電はない。なお、このローラ通電及び光照射モードでは、加熱部１３によるヘッド部１２の加熱は行われず、加熱スイッチ１１ｅの操作は無効である。
【００６８】
ローラ電極１６、１７を肌５０に密着させると、対をなすローラ電極１６、１７間において肌５０を介した通電状態となり、肌５０に通電による刺激が加わり、肌５０を活性化して乳液やクリームの浸透を促すこととなる。また、肌５０は照射部１５からの適度な照射強度の光を受け、光による美容効果も生じることとなる。
【００６９】
ローラ電極１６、１７を肌５０に当接させたまま転動させて肌上で少しずつ移動させると、通電及び光照射の対象位置を変えられるが、通電を中断したり通電及び照射位置を変えるために、ローラ電極１６、１７を肌５０から離すと、直ちにローラ電極間の通電が中断する。通電及び照射を完全に終える場合、使用者は操作部１１ｂで機能を他に切替えるか電源をＯＦＦ状態とすれば、ローラ電極１６、１７間の通電と照射部１５における光の照射が停止する。
【００７０】
皮膚への温熱付与を伴うマッサージを行う場合には、使用者はあらかじめ傾動腕部１４を傾動させて照射部１５及びローラ電極１６、１７をヘッド部１２正面からずらし、ヘッド部１２を肌５０に当接可能な開放状態とする。同時に、肌にマッサージ用のクリームを付けてなじませた状態とする。この場合、パック効果を有するクリームであればより好ましい。
【００７１】
使用者が操作部１１ｂの加熱スイッチ１１ｅを操作して加熱モードを選択すると、制御部１８は加熱部１３によるヘッド部１２の加熱を開始する。なお、この場合は、ヘッド部１２と補助電極部１１ｃ間の通電は行われない。
【００７２】
加熱部１３により温度を高められたヘッド部１２を肌５０に密着させると、肌やクリームが温められる状態となり、使用者はヘッド部１２を肌５０に押し当てたまま本体部１１を動かしてヘッド部１２で肌５０をマッサージするようにし、肌のクリーム塗布部分全体にわたりマッサージしながら肌を温める。
【００７３】
加熱部１３の制御によりヘッド部１２は一定温度ではなく、所定の温度変化が生じていることから、肌５０が温熱刺激に慣れて温熱への反応が鈍くなることはなく、確実に温熱が刺激として作用して肌を吸収しやすい状態に変化させることができる。
【００７４】
パック効果を有するクリームの場合、温められ浸透しやすい状態となった肌５０にクリーム中の有効成分がスムーズに浸透し、より一層美容効果を高められる。
【００７５】
加熱部１３からの熱と体温で十分にクリームが温まると共に、マッサージの刺激に伴うクリームの攪拌が進行すると、クリームの液性が変化してマッサージ終了を示す転相状態に移行するため、ヘッド部１２を肌５０から離し、使用者は操作部１１ｂの加熱スイッチ１１ｅを操作して加熱を停止させるか電源をＯＦＦ状態として、マッサージを完全に終える。そして、使用者は肌からクリームを洗い流すこととなる。
【００７６】
このように、本実施形態に係る美容装置は、本体部１１の一端部に配設されてイオン導入用の電極とされるヘッド部１２が、本体部１１内の加熱部１３をなすヒータ１３ａから電気絶縁性を有する伝熱体１３ｄを介して熱を伝えられる配置とされ、ヒータ１３ａを伝熱体１３ｄ側に押圧してヒータ１３ａを大端子部１３ｂに、大端子部１３ｂを伝熱体１３ｄにそれぞれ押付け、弾性変形する伝熱体１３ｄが押圧で大端子部１３ｂ及びヘッド部１２内面と隙間無く密着して、ヒータ１３ａの熱が大端子部１３ｂ及び伝熱体１３ｄを介してヘッド部１２にロス無く最短距離で伝わることから、ヒータ１３ａへの通電のための電気的接続と、ヘッド部１２とヒータ１３ａとの間の熱伝導構造とを矛盾無く両立させて、ヒータ１３ａで効率よくヘッド部１２を加熱でき、ヘッド部１２にヒータ１３ａの温度制御状態を無理なくスムーズに反映させて、皮膚に適切に温熱を与えられると共に、ヘッド部１２の昇温状態が簡略な機構で得られることとなり、温熱を皮膚に付与する構造を低コスト化できる。
【００７７】
また、伝熱体１３ｄを介してヒータ１３ａ及び大端子部１３ｂとヘッド部１２との間で熱が伝わるようにし、ヘッド部１２に通電するための電気配線とヒータ１３ａに係る電気配線とを伝熱体１３ｄで電気的に隔離した構造としていることで、イオン導入に係るヘッド部１２への通電とヒータ１３ａによるヘッド部１２の加熱を、互いに悪影響を及し合うこともなく適切に実行できることとなり、ヘッド部１２への通電と加熱を同時に行っても問題は生じず、ヘッド部１２による皮膚の加温と皮膚へのイオン導入を同期させて実施でき、皮膚やイオン導入用の化粧料を温めて浸透性を高めることでイオン導入の促進も図れ、皮膚に対し極めて効率よくイオン導入を実行して美容効果を発揮させられる。さらに、加熱部１３を立壁部１１ｇに囲まれる配置としていることで、伝熱体１３ｄと立壁部１１ｇにより、加熱部１３がヘッド部１２やその通電用配線と電気的に絶縁されるだけでなく、ヒータ１３ａから本体部１１側への熱の伝わりについても抑えられることとなる。
【００７８】
なお、前記実施形態に係る美容装置において、傾動腕部１４は本体部１１に対し傾動可能に取付けられ一体で取扱われる構成としているが、これに限らず、傾動腕部を本体部と別体とし、ローラ電極及び照射部を用いる場合のみ本体部に取付けて所望の機能を利用可能にする構成とすることもできる。
【００７９】
また、前記実施形態に係る美容装置においては、イオン導入を行う場合に、保護化粧水等の化粧料を染みこませた多孔質被覆体１２ａをヘッド部１２に被せて保持し、多孔質被覆体１２ａ中の化粧料に含まれる有効成分を肌側へ移行させ、肌内に有効成分を浸透させる構成としているが、この他、化粧料を付けてなじませた状態とした肌に直接ヘッド部を密着させ、体を介した通電状態として、ヘッド部から肌へ流れる電流で肌表面の化粧水に含まれる有効成分を肌内に浸透させるようにすることもでき、前記同様、加熱部で適度な温度に昇温したヘッド部により、肌が温められることで、肌表面の化粧料の活性が高まると共に、肌も有効成分が浸透しやすい状態に変化し、イオン性有効成分の肌内への移行が促進され、有効成分が肌に深く浸透して確実に美容効果を与えられる。
【００８０】
また、前記実施形態に係る美容装置においては、ヘッド部１２と補助電極部１１ｃ間、また対をなすローラ電極１６、１７間をそれぞれ通電状態とする場合に特に使用者による調整等を要しない構成としているが、この他、操作部にスイッチを設け、使用者の入力操作に基づいて、制御部が皮膚を流れる電流の強さの調整を実行する構成とすることもでき、使用者によって異なる通電への感受性に対応して使用者ごとに適した通電状態を得ることができ、使用感や美容効果の向上を図れる。さらに、加熱モードの場合にも、使用者の入力操作に基づいて、加熱部でヘッド部を加熱する温度を制御部が調整する構成とすることもでき、使用者によって異なる温度への感受性に対応してヘッド部を適切な温度にでき、快適な使用感が得られることとなる。
【００８１】
また、前記実施形態に係る美容装置においては、照射部１５としてＬＥＤを用いる構成としているが、これに限らず、ストロボライトや赤外ヒータ等の他の光源を用いるようにしてもよい。また、照射部１５は光源となるＬＥＤがローラ電極１６、１７間に配置されて肌５０に面する構成としているが、これに限らず、光源を傾動腕部内や本体部内に設けて、内蔵された光源から光ファイバ等の光伝達手段を介して外部に光を到達させ、肌に対し光を照射する構成とするようにしてもよい。
【実施例】
【００８２】
本発明の美容装置で、加熱部によるヘッド部加熱に基づく温熱付与を行った場合の肌への有効成分の浸透度合等を実際に測定し、温熱の付与が、美容動作により得られる美容効果の差異を生じるか否かについて評価した。
【００８３】
肌（皮膚）のうち、最外層に位置する角層は、人間の生体としての活動を維持するために、内外の物質移動に対するバリアの役割を果しているが、これは美容面において化粧水等の有効成分浸透の最大の障壁となることも意味する。この角層において、角層間脂質は、体温等の通常の温度領域では、短周期ラメラ構造となっており、高いバリア性を示すことが知られているが、この角層間脂質を温めて温度上昇させると、長周期ラメラ構造に移行し、バリア性が低くなることもわかっている。
【００８４】
このため、水溶性の有効成分のうち特に電解質成分を肌に浸透させる技術であるイオン導入と加温を併用すれば、浸透の促進が期待でき、また、油性成分等他の有効成分の肌への浸透も加温による促進が期待できることとなる。
【００８５】
測定としては、肌サンプルに各種有効成分を付けたものに対し、本発明の美容装置を適用し、１５分間の動作で、加温のみ行った場合、イオン導入のみ行った場合、加温とイオン導入を行った場合の各例について、４時間経過後に各肌サンプルをホモジネートし、有効成分の抽出、定量を実施する手順で行う。また比較例として、肌サンプルに有効成分を付けたのみのものについても、同様に４時間経過後の肌サンプルのホモジネート、有効成分の抽出、定量を実施する。
【００８６】
はじめに、水溶性有効成分のうち電解質成分の浸透促進性について測定を行った。この水溶性有効成分（電解質成分）としては、アスコルビン酸リン酸エステルナトリウム塩を使用した。測定は加温のみ行った第１実施例と、イオン導入のみ行った第２実施例と、加温とイオン導入を行った第３実施例と、比較例の各場合についてそれぞれ行い、測定結果である有効成分検出量を、比較例を１００％とした場合のこれに対する割合で記したグラフとして、図１６に示す。よって、グラフ縦軸の値は、（測定された有効成分検出量）／（比較例の有効成分検出量）×１００となっている。
【００８７】
図１６より、各実施例は、比較例に対し第１、第２、第３の順でそれぞれ１８７％、３６２％、６７４％の検出量が得られており、単に加温を行った第１実施例の場合でも比較例に対し良好な効果が得られているほか、第２実施例と第３実施例との結果比較から、イオン導入による浸透促進効果が加温により著しく強まることが見て取れ、加温により電解質成分の肌への浸透促進効果が得られたことがわかる。
【００８８】
次に、水溶性有効成分のうち非電解質成分の浸透促進性について測定を行った。この水溶性有効成分（非電解質成分）としては、アルブチンを使用した。測定は加温のみ行った第４実施例と、加温とイオン導入を行った第５実施例と、比較例の各場合についてそれぞれ行い、測定結果である有効成分検出量を、前記同様に比較例を１００％とした場合のこれに対する割合で記したグラフとして、図１７に示す。
【００８９】
図１７より、各実施例は、比較例に対し第４、第５の順でそれぞれ４２９％、８３５％の検出量が得られており、単に加温を行った第４実施例の場合でも比較例に対し良好な効果が得られているほか、第５実施例の結果から、イオン導入も併用するとさらに浸透促進効果が向上しており、加温により非電解質成分についても肌への浸透促進効果が得られたことがわかる。
【００９０】
さらに、イオン導入による効果が望みにくい油溶性有効成分の浸透促進性についても測定を行った。この油溶性有効成分としては、ビタミンＥ酢酸エステルを使用した。測定は加温のみ行った第６実施例と比較例の各場合についてそれぞれ行い、測定結果である有効成分検出量を、前記同様に比較例を１００％とした場合のこれに対する割合で記したグラフとして、図１８に示す。
【００９１】
図１８より、加温した第６実施例は、比較例に対し１１５％の検出量が得られ、加温により油溶性有効成分についても肌への浸透促進効果を得られたことがわかる。
【００９２】
このように、各測定結果から、本発明の美容装置を用いて、加温を行った場合とそうでない場合とで明らかな有効成分検出量の差異が見られ、加温のもたらす角層の変化や有効成分の変化により、有効成分の浸透促進性も増大する方向に変化したといえる。こうして、本発明の美容装置で、イオン導入の際の加温や、加温を単独で実行することによって、肌に各種有効成分をより確実に浸透させられ、美容効果を高められることは明らかである。
【符号の説明】
【００９３】
１            美容装置
１１          本体部
１１ａ        把持部
１１ｂ        操作部
１１ｃ        補助電極部
１１ｄ        モード切替スイッチ
１１ｅ        加熱スイッチ
１１ｆ        電源スイッチ
１１ｇ        立壁部
１２          ヘッド部
１２ａ        多孔質被覆体
１２ｂ        ばね
１２ｃ        ラグ端子
１２ｄ        導線
１３          加熱部
１３ａ        ヒータ
１３ｂ        大端子部
１３ｃ        小端子部
１３ｄ        伝熱体
１３ｅ        感温体
１３ｆ        ホルダ部
１４          傾動腕部
１５          照射部
１６、１７    ローラ電極
１８          制御部
１９          保持部
５０          肌
【図１】
2011041705.tif 000003
【図２】
2011041705.tif 000004
【図３】
2011041705.tif 000005
【図４】
2011041705.tif 000006
【図５】
2011041705.tif 000007
【図６】
2011041705.tif 000008
【図７】
2011041705.tif 000009
【図８】
2011041705.tif 000010
【図９】
2011041705.tif 000011
【図１０】
2011041705.tif 000012
【図１１】
2011041705.tif 000013
【図１２】
2011041705.tif 000014
【図１３】
2011041705.tif 000015
【図１４】
2011041705.tif 000016
【図１５】
2011041705.tif 000017
【図１６】
2011041705.tif 000018
【図１７】
2011041705.tif 000019
【図１８】
2011041705.tif 000020